(57)【特許請求の範囲】
【請求項１】
上半身側架台と下半身側架台とに分離され、上半身側架台にリクライニング機構が設けられた介護用ベッドにおいて、上半身側架台と下半身側架台との分離境界部の長手両端部に連結具を設け、上半身側架台と下半身側架台とを連結自在に設けると共に、連結したいずれか一方の連結具を支点として分離境界部が少なくとも８０度以上に展開するように設け、上半身側架台の分離境界部の前に車椅子の通路となる介護スペースを形成することを特徴とする介護用ベッド。
【請求項２】
前記上半身側架台に昇降装置を装着し、前記分離境界部を高さ調整自在に設け、前記介護スペースに搬入する車椅子の高さ又は被介護人の体格に合わせるように構成した請求項１記載の介護用ベッド。
【請求項３】
前記上半身側架台の前記分離境界部近傍に昇降装置を設け、前記上半身側架台の頭部側の支持脚下端部を支点にして前記分離境界部側の支持脚を持ち上げて、分離した前記上半身側架台の前記分離境界部の高さを調整するように構成した請求項１又は２記載の介護用ベッド。
【請求項４】
前記昇降装置は、前記上半身側架台の前記分離境界部の長手方向に沿って屈曲するパンタグラフ型ジャッキとした請求項１又は２記載の介護用ベッド。
【請求項５】
前記連結具は、前記上半身側架台と前記下半身側架台との前記分離境界部両端に夫々連結環体が設けられ、連結時に上下に重なった連結環体相互に挿入杆体を上から挿入して軸支し、該挿入杆体を支点として前記分離境界部が扇状に展開するように構成すると共に、連結環体のいずれか一方又は両方を上下揺動自在に設け、前記上半身側架台の前記分離境界部側を持ち上げたときに、該連結環体が連動するように構成した請求項１記載の介護用ベッド。
【発明の詳細な説明】
【技術分野】
【０００１】
本発明は、老老介護世帯における介護人の介護作業を容易にすると共に、介護用ベッドが狭い部屋に設置された場合でも車椅子の使用を可能にする介護用ベッドに関するものである。
【背景技術】
【０００２】
ベッド上の被介護人を移動する際に、介護人の介護作業を容易にする目的で、リフターや移載介助装置等を設置する場合がある。例えば、特許文献１に、ベッド上の被介護人を移載する移載機能を具えた介護用ベッドが記載されている。この介護用ベッドは、ベッド上の被介護人を車椅子やストレッチャー等に移載する移載ユニットをベッド側面に設けたものである。
【０００３】
特許文献２に記載の介護用ベッドは、上半身側ベッドと下半身側ベッドとに分離可能とし、上半身側ベッドをリクライニング可能に設けたものである。この介護用ベッドでは、被介護人を移動する際に、下半身側ベッドを分離してスペースを設け、このスペースから移動するように設けている。
【先行技術文献】
【特許文献】
【０００４】
【特許文献１】特許第３４１８０４４号公報
【特許文献２】特開２００３−１７５０８４号公報
【発明の概要】
【発明が解決しようとする課題】
【０００５】
一般家庭で使用する介護用ベッドは、老老介護世帯で使用される場合が多い。すなわち、高齢者が高齢者の介護をする状況である。そのため、一般家庭で使用する介護用ベッドは、介護人の負担を軽くできるものが好ましい。しかも、狭い部屋でも被介護人の移動が容易になり、車椅子の使用も可能になるものが望まれる。ところが、従来の介護用ベッドは、いずれも日本家屋の和室などに設置するベッドとしては構造が嵩張り、実際の使用は不便になる場合がある。
【０００６】
すなわち、特許文献１の介護用ベッドでは、ベッドの側面に移載ユニットを設け、この移載ユニットを介して被介護人を移送する構成である。そのため、ベッドの脇には移載ユニット用のスペースと、この移載ユニットから移動する車椅子のスペースが必要になる。しかしながら、和室などが多い日本家屋において、ベッドの他に移載ユニットを設置し、車椅子の移動が自由になる部屋は限られてしまうのが現状である。
【０００７】
しかも、ベッドの側面に昇降自在な移載ユニットを設けると、ベッド自体の構成が大掛かりになる上、重量も重くなり、設置可能な部屋が更に限定されることになる。畳等を使用している和室に介護用ベッドを設置する場合、重量が重いものは好ましくなく、できるだけ軽量な介護用ベッドが適している。
【０００８】
一方、特許文献２に記載の介護用ベッドは、上半身側ベッドと下半身側ベッドとを分離して被介護人をベッドから車椅子に移送するものである。そのため、ベッドを置く部屋には、ベッドの長手方向に沿って下半身側ベッドを移動する広いスペースが必要になる。
【０００９】
一般住宅において、狭い和室にベッドを設置するようなケースでは、ベッドの長手方向に沿って更に広い移動スペースを有する部屋はあまり多くはなく、移動スペースを期待できないことが多い。このような狭いスペースに介護用のベッドを設置すると、ベッド周りのスペースは極めて限られてしまい、介護人の介護作業や被介護人の移動にも支障が生じる虞がある。当然、車椅子を部屋に導入することが困難になるケースも多い。
【００１０】
しかも、上半身側ベッドと下半身側ベッドとを分離すると、分離した下半身側ベッドを元の位置に正確に合わせて戻す必要がある。ところが、ベッドの脚に自在キャスターが設置されてはいるが、一度分離した下半身側ベッドを、正確に基の位置に戻すには、下半身側ベッドの位置を微調整する必要があるため、高齢者では、この調整作業が難しい作業になる。
【００１１】
そのため、特許文献２の介護用ベッドでは、下半身側ベッドの下に直線レールを設け、このレールに沿って元の位置に戻るように構成している。したがって、この介護用ベッドを設置する部屋は、下半身側架台を移動する広いスペースと共に、レールの敷設が必要になっており、設置スペースの広い施設等の介護用ベッドとして使用可能でも、一般家庭の介護用ベッドとして使用することは困難である。
【００１２】
そこで本発明は上述の課題を解消すべく創出されたもので、老老介護世帯における介護人の介護作業を容易にすると共に、介護用ベッドが狭い部屋に設置された場合でも車椅子の使用を可能にする介護用ベッドの提供を目的とするものである。
【課題を解決するための手段】
【００１３】
上述の目的を達成すべく本発明における第１の手段は、上半身側架台１０と下半身側架台２０とに分離され、上半身側架台１０にリクライニング機構７０が設けられた介護用ベッドにおいて、
上半身側架台１０と下半身側架台２０との分離境界部Ｐの長手両端部に連結具３０を設け、上半身側架台１０と下半身側架台２０とを連結自在に設けると共に、
連結したいずれか一方の連結具３０を支点として分離境界部Ｐが少なくとも８０度以上に展開するように設け、上半身側架台１０の分離境界部Ｐの前に車椅子Ｍの通路となる介護スペースＳを形成することにある。
【００１４】
第２の手段は、前記上半身側架台１０に昇降装置４０を装着し、前記分離境界部Ｐを高さ調整自在に設け、前記介護スペースＳに搬入する車椅子Ｍの高さ又は被介護人の体格に合わせるように構成したものである。
【００１５】
第３の手段は、前記上半身側架台１０の前記分離境界部Ｐ近傍に昇降装置４０を設け、前記上半身側架台１０の頭部側の支持脚１１下端部を支点にして前記分離境界部Ｐ側の支持脚１１を持ち上げて、分離した前記上半身側架台１０の前記分離境界部Ｐの高さを調整するように構成している。
【００１６】
第４の手段の前記昇降装置４０は、前記上半身側架台１０の前記分離境界部Ｐの長手方向に沿って屈曲するパンタグラフ型ジャッキとしたものである。
【００１７】
第５の手段において、前記連結具３０は、前記上半身側架台１０と前記下半身側架台２０との前記分離境界部Ｐ両端に夫々連結環体３１が設けられ、連結時に上下に重なった連結環体３１相互に挿入杆体３２を上から挿入して軸支し、該挿入杆体３２を支点として前記分離境界部Ｐが扇状に展開するように構成すると共に、
連結環体３１のいずれか一方又は両方を上下揺動自在に設け、前記上半身側架台１０の前記分離境界部Ｐ側を持ち上げたときに、該連結環体３１が連動するように構成したものである。
【発明の効果】
【００１８】
本発明の請求項１のごとく、連結したいずれか一方の連結具３０を支点として分離境界部Ｐが少なくとも８０度以上に展開するように設け、上半身側架台１０の分離境界部Ｐの前に車椅子Ｍの通路となる介護スペースＳを形成するように構成したことにより、介護用ベッドを狭い部屋に設置した場合でも車椅子Ｍの使用を可能にすることができる。
【００１９】
すなわち、分離境界部Ｐが８０度の角度まで展開して車椅子Ｍの通路となる介護スペースＳを形成するように構成しているので、介護スペースＳの向きを部屋の出入り口に合わせることで、車椅子Ｍの通路が形成される。この結果、ベッドの周囲に車椅子Ｍを搬入できないような狭い部屋でも車椅子Ｍの導入を可能にすることができる。
【００２０】
しかも、介護スペースＳは、上半身側架台１０上の被介護人の正面に形成されるので、この介護スペースＳで行う介護作業は、介護者がベッドの側面に立って行う作業に比べて作業効率を高めることができる。また、介護人は展開した下半身側架台２０に座った状態で介護することも可能になり、食事の世話など、時間のかかる作業でも介護人が楽な状態で行うことができる。このように、介護スペースＳを使用することで、介護人の負担を大幅に軽減することができる。
【００２１】
更に、展開した介護スペースＳを閉じて基の位置に戻す場合も、連結具３０を支点とすることで、簡単に戻すことができる。したがって、従来のようにレールを敷設しなくても、簡単な操作で展開したベッドを元の位置に戻すことができるので、一般家庭用の介護用ベッドとして好適で、老老介護の世帯でも介護人の負担軽減に大きな効果が得られるものである。
【００２２】
請求項２のように、介護スペースＳを形成した上半身側架台１０の分離境界部Ｐを高さ調整自在に設けたことで、被介護人の移動時の負担を軽減することができる。例えば、介護スペースＳに車椅子Ｍを搬入する際に、分離境界部Ｐの高さを車いすの座面の高さに合わせて調整することで、移動時の負担が軽減する。また、車椅子Ｍを使用しない場合でも、介護スペースＳから被介護人が歩き始める場合は、被介護人の体格に合わせて分離境界部Ｐの高さを調整することで、被介護人の負担を軽減することができる。
【００２３】
しかも、上半身側架台１０に昇降装置４０を装着しているので、従来のように、ベッド全体の高さを昇降するような大掛かりな装置は不要になる。この結果、昇降装置４０による重量の増大を抑止でき、畳を敷いた和室でも設置可能になる。
【００２４】
請求項３のごとく、上半身側架台１０の分離境界部Ｐ近傍に昇降装置４０を設け、上半身側架台１０の頭部側の支持脚１１下端部を支点にして分離境界部Ｐ側の支持脚１１を持ち上げて、上半身側架台１０の分離境界部Ｐの高さを調整するように構成すると、極めてシンプルな構成の昇降装置４０でも分離境界部Ｐの高さを調整することが可能になる。したがって、ベッドの軽量化を更に促進することができる。
【００２５】
請求項４のように、昇降装置４０にパンタグラフ型ジャッキを使用することで、軽量、且つ簡易な構成で確実な支持力が得られるものである。また、昇降装置４０の操作も容易になり、介護人が高齢者でも、上半身側架台１０の分離境界部Ｐ側の高さ調整を容易にすることが可能になる。
【００２６】
請求項５のように、上半身側架台１０と下半身側架台２０とに上下に重なる連結環体３１を備え、該連結環体３１に挿入杆体３２を上から挿入して軸支し、該挿入杆体３２を支点として分離境界部Ｐが展開するように連結具３０を構成したことで、連結具３０の着脱操作が極めて容易になり、ベッドの操作における介護人の負担を軽減することができる。
【００２７】
しかも、連結環体３１のいずれか一方又は両方を上下揺動自在に設けているので、上半身側架台１０の分離境界部Ｐ側を持ち上げたときに、連結環体３１が連動し、挿入杆体３２による軸支状態を保ちながら分離境界部Ｐの高さを調整することが可能になるものである。
【図面の簡単な説明】
【００２８】
【図１】本発明の介護スペースを形成した状態を示す斜視図。
【図２】本発明の使用状態を示し（イ）は就寝時（ロ）は車椅子搬入時の平面図。
【図３】本発明のリクライニング機構の一実施例を示す平面図。
【図４】連結状態の上半身側架台と下半身側架台との連結状態を示す側面図。
【図５】本発明昇降装置の一実施例を示す正面図。
【図６】本発明連結具の一実施例を示す要部側面図。
【図７】図６に示す連結具を示す平面図。
【図８】本発明に使用するマットの一実施例を示す平面図。
【図９】図７に示すマットの側面図。
【図１０】本発明の介護スペースにて介護する状態を示す斜視図。
【発明を実施するための形態】
【００２９】
本発明介護用ベッドによると、老老介護世帯における高齢な介護人の介護作業を容易にすると共に、ベッドが狭い部屋に設置された場合でも車椅子の使用が可能になるなどといった当初の目的を達成した。
【００３０】
以下、本発明の実施例を説明する。本発明介護用ベッドは、ベッドが上半身側架台１０と下半身側架台２０とに分離し、夫々が移動するように設けられた介護用ベッドに関するものである（図１参照）。
【００３１】
すなわち、上半身側架台１０と下半身側架台２０とを夫々支持する支持脚１１、２１には、キャスター１２,２２が設けられて移動可能になる（図１参照）。そして、上半身側架台１０と下半身側架台２０との分離境界部Ｐにてベッドが分離・連結するように構成している。
【００３２】
上半身側架台１０と下半身側架台２０とを連結するには、分離境界部Ｐの長手両端部に設けた連結具３０を使用する（図３参照）。図示の連結具３０は、上半身側架台１０と下半身側架台２０とに夫々連結環体３１を設け、この連結環体３１相互を貫通する挿入杆体３２で連結する構成である（図４参照）。すなわち、連結環体３１は、連結時に開口部が上下に重なるように設けたもので、この連結環体３１の開口部相互に挿入杆体３２を挿入して軸支する。
【００３３】
そして、連結したいずれか一方の連結具３０を支点とし、この支点から分離境界部Ｐを少なくとも８０度以上に開くように設け、上半身側架台１０の分離境界部Ｐの前に介護スペースＳを形成する（図１参照）。この介護スペースＳは、部屋に車椅子Ｍの移動スペースがない状態でも（図２（イ）参照）、分離境界部Ｐを少なくとも８０度以上開くことで上半身側架台１０まで車椅子Ｍの通路が形成される（同図（ロ）参照）。図示例では９０度まで開いて介護スペースＳを形成しているが、この角度は８０度程度でも車椅子Ｍの通路を形成することが可能である。但し、この角度が８０度より狭くなると、車椅子Ｍの通路を形成することが困難になる。
【００３４】
上半身側架台１０にはリクライニング機構７０が設けられている（図３参照）。図示のリクライニング機構７０は、電動モーター７１の回転力で伸縮する伸縮ロッド７２にて枠体７３を上下動自在に調整することで、この枠体７３上に載置した上半身側マット５０を揺動せしめる機構である（図９参照）。このリクライニング機構７０は、図示例に限らず、他の機構を選択することも可能である。
【００３５】
一方、下半身側架台２０の端部に一対の補助杆２３を揺動自在に設けている（図３参照）。この補助杆２３は、被介護人の身長が高い場合に、補助マット６１を支持する部材である（図８参照）。この補助杆２３を使用しない場合は、揺動体２４の揺動で下半身側架台２０側に重ねることができる。そして、使用しない補助マット６１を下方に屈曲しておくことで、下半身側マット６０をコンパクトにするものである（図９参照）。
【００３６】
上半身側架台１０の分離境界部Ｐの近傍には、昇降装置４０を設けている（図５参照）。図示の昇降装置４０は、上半身側架台１０の分離境界部Ｐの長手方向に沿って屈曲するネジ式のパンタグラフ型ジャッキ４１に、電動モーター４２を装着し、リモコン４３で操作するように構成したものである。そして、この昇降装置４０をジャッキアップすると、上半身側架台１０の頭部側の支持脚１１下端部を支点にして分離境界部Ｐ側の支持脚１１が持ち上がり、この分離境界部Ｐの高さを調整することができる（図４参照）。
【００３７】
上半身側架台１０の分離境界部Ｐの高さを調整すると、上半身側架台１０と下半身側架台２０とを連結している連結具３０に影響を与えることになる。そこで、連結具３０の連結する連結環体３１のいずれか一方又は両方を上下揺動自在に設け、上半身側架台１０の分離境界部Ｐ側を持ち上げたときに、軸支された上半身側架台１０側の連結環体３１が挿入杆体３２に沿って上方へ移動するように構成している（図６参照）。
【００３８】
図示の連結環体３１は、挿入杆体３２を挿入する挿入環３１Ａと、この挿入環３１Ａを固定する当接固定板３１Ｂと、この固定板３１Ｂを固定する固定ピン３１Ｃとで構成している（図７参照）。そして、上半身側架台１０に固定する連結環体３１の固定板３１Ｂに長孔３１Ｄを開穿し、この長孔３１Ｄを止着する連結環体３１に対して固定板３１Ｂを上下揺動自在に設けたものである（図６参照）。尚、この長孔３１Ｄに代えてレールを用いる手段や、挿入環３１Ａの直径を広げる手段を選択することも可能である。
【００３９】
上半身側架台１０と下半身側架台２０には、夫々上半身側マット５０と下半身側マット６０が載置されている（図８参照）。図示の上半身側マット５０は、リクライニング機構７０により、頭部側が屈曲するように設けている（図９参照）。
【００４０】
一方、下半身側マット６０は足元に補助マット６１を設けたもので、被介護人の身長に合わせて補助マット６１を使用するものである。また、この補助マット６１は、より狭い部屋でも分離境界部Ｐを広く開くことができるように端部を半円状に形成している（図８参照）。
【００４１】
本発明の使用において、被介護人は、上半身側架台１０と下半身側架台２０とを連結した状態で使用する（図２（イ）参照）。一方、分離境界部Ｐを８０度以上に開いて介護スペースＳを形成し、この介護スペースＳを部屋の出入り口に向けると、上半身側架台１０まで車椅子Ｍの通路が形成される（同図（ロ）参照）。また、この角度が８０度より狭い角度では、車椅子Ｍの通路として支障が出てくるが、介護人の介護作業を行う介護スペースとして利用することができる（図１０参照）。
【００４２】
介護人は、介護スペースＳに車椅子Ｍを入れて被介護人を載せる他、この介護スペースＳを利用して被介護人に対して介護作業を行うことができる（図１０参照）。例えば食事を与えたりおむつを交換したりするような作業である。また、寝具を交換する際も、上半身側架台１０と下半身側架台２０とで別々に行うことができるので、介護人が高齢者でも容易に行える。介護作業が終了した後は、分離境界部Ｐを閉じて連結環体３１に挿入杆体３２を差し込むことで上半身側架台１０と下半身側架台２０とを簡単に連結することができる。
【００４３】
このように、介護スペースＳは、車椅子Ｍの通路として機能する他、介護人の介護スペースとしても機能するので、特に高齢な介護者にとって極めて有効な介護ベッドになるものである。
【００４４】
尚、本発明の上半身側架台１０や下半身側架台２０の構成や形状、あるいは連結具３０、昇降装置４０等の構成は図示例に限定されるものではなく、本発明の要旨を変更しない範囲であれば他の形状や構成に変更することも可能である。
【符号の説明】
【００４５】
Ｍ  車椅子
Ｐ  分離境界部
Ｓ  介護スペース
１０  上半身側架台
１１  支持脚
１２  キャスター
２０  下半身側架台
２１  支持脚
２２  キャスター
２３  補助杆
２４  揺動体
３０  連結具
３１  連結環体
３２  挿入杆体
４０  昇降装置
４１  パンタグラフ型ジャッキ
４２  電動モーター
４３  リモコン
５０  上半身側マット
６０  下半身側マット
６１  補助マット
７０  リクライニング機構
【要約】
【課題】ベッドが狭い部屋に設置された場合でも車椅子Ｍの使用が可能になり、介護人の負担を軽減する介護用ベッドを提供する。
【解決手段】上半身側架台１０と下半身側架台２０とが分離移動する介護用ベッドを設ける。上半身側架台１０と下半身側架台２０との分離境界部Ｐに連結具３０を設ける。連結具３０にて上半身側架台１０と下半身側架台２０とを連結自在に設ける。一方の連結具３０を支点として分離境界部Ｐを扇状に開き、介護スペースＳを形成する。被介護人はベッドの昇降時にこの介護スペースＳを通って移動するように構成する。
【選択図】  図２【図１】
0005770353.tif 000002
【図２】
0005770353.tif 000003
【図３】
0005770353.tif 000004
【図４】
0005770353.tif 000005
【図５】
0005770353.tif 000006
【図６】
0005770353.tif 000007
【図７】
0005770353.tif 000008
【図８】
0005770353.tif 000009
【図９】
0005770353.tif 000010
【図１０】
0005770353.tif 000011